(57)【要約】  可変容量ベーンポンプ２０は、ポンプ２０の容量を変更するための移動可能なポンプ制御リング４４を備えて提供される。制御チャンバ６０は、ポンプケーシング２２と制御リング４４との間に形成される。制御チャンバ６０は、ポンプ２０の容積を減少させる制御リング４４を移動させる力を生成するために加圧流体を受け入れるように動作可能である。一次リターンスプリング５６は、最大容積位置に向かって制御リング４４を偏向させるためにケーシング２２と制御リング４４との間に作用する。軸は制御リングの一端に結合され、軸の第２端部はケーシング２２からの所定距離に位置する。二次リターンスプリング６２は、制御リング４４が所定量移動した後に制御リング４４に係合するように構成されて軸に対して装着される。二次リターンスプリング６２は、最大容積位置に向かって制御リング４４を偏向させる。二次リターンスプリング６２は、第２平衡圧を設定するために制御チャンバ６０の力に対して作用する。【選択図】図６
2014528539.tif 000002
【特許請求の範囲】
【請求項１】
ポンプの出力容量を変更するための移動可能なポンプ制御リングを有する可変容量ベーンポンプであって、
前記可変容量ベーンポンプは、
中にポンプチャンバを有するポンプケーシングであって、前記ポンプケーシングは入口ポート及び出口ポートを有することと、
ベーンポンプロータは前記ポンプチャンバ内に回転可能に装着されることと、
前記ポンプチャンバ内の前記ベーンポンプロータを囲む制御リングであって、複数のベーンが前記ロータに動作可能に係合して前記入口ポートから前記ポンプチャンバを介して前記出口ポートに流体をポンピングするために前記制御リングに摩擦係合し、前記制御リングは前記ポンプの容積を変更させるために前記ポンプチャンバ内で移動が可能であることと、
前記ポンプケーシング及び前記制御リングによって定義される可変制御チャンバであって、前記ポンピングチャンバの最小容積位置に向かって前記制御リングを偏向するための力を生成するために、加圧流体を受け入れるように動作可能であることと、
前記ポンプのより大きい容積位置に向かう方向に前記制御リングを偏向させるための第１リターンスプリングであって、前記第１リターンスプリングの力が第１平衡を設定するために前記制御リングの力に対して作用することと、
前記ポンプのより大きい容積位置に向かう方向に前記制御リングを偏向させるための第２リターンスプリングであって、前記第２リターンスプリングの力が前記制御リングが前記第１リターンスプリングの偏向力に対抗して少なくとも第１所定量移動した後に前記制御リングの力に対して作用することと、
を含む可変容量ベーンポンプ。
【請求項２】
前記第２リターンスプリングが予圧された、請求項１に記載の可変容量ベーンポンプ。
【請求項３】
前記制御リングに結合された第１端部と前記第１端部から遠位に配置される第２端部とを有する軸及び制御スプリングをさらに備え、前記軸の第２端部は前記ポンプのハウジングから所定距離だけ離隔し、前記第２スプリングは前記制御リングと第２端部との間に配置される、請求項１又は請求項２に記載の可変容量ベーンポンプ。
【請求項４】
前記軸及び前記第２リターンスプリングの少なくとも一部を含むための第２ハウジングをさらに備え、請求項１乃至請求項３のいずれか一項に記載の可変容量ベーンポンプ。
【請求項５】
前記軸及び前記第２リターンスプリングの少なくとも一部を含むための第２ハウジングをさらに備え、前記第２ハウジングは圧入プラグを含む第２閉鎖された端部及び第１端部を備える、請求項１乃至請求項４のいずれか一項に記載の可変容量ベーンポンプ。
【請求項６】
前記軸及び前記第２リターンスプリングの少なくとも一部を含むための第２ハウジングをさらに備え、前記第２ハウジングは前記ハウジング内に第２制御スプリングをトラップして前記第２ハウジングの肩部に結合された固定クリップを含む第２閉鎖された端部及び第１端部を備える、請求項１乃至請求項４のいずれか一項に記載の可変容量ベーンポンプ。
【請求項７】
前記制御リングは内部に通路を有する延長部材を備え、前記可変容量ポンプは前記制御リングの延長部材内通路を通過する第１端部及び前記第１端部から遠位の第２端部を有する軸をさらに備え、前記第１端部は肩部を有して第２制御スプリングは前記軸の肩部及び前記制御リングの延長部材の間に配置される、請求項１又は請求項２に記載の可変容量ベーンポンプ。
【請求項８】
前記制御リングに結合された第１端部と前記第１端部から遠位に配置される第２端部とを有する軸及び制御スプリングをさらに備え、前記軸の第２端部は前記ポンプのハウジングから所定距離だけ離隔し、前記第２スプリングは前記制御リングと第２端部との間に配置される、請求項１又は請求項２に記載の可変容量ベーンポンプ。
【請求項９】
第１制御スプリングの作用と第２制御スプリングの作用との間のギャップ（ｇ）を定義し、前記第１及び第２制御スプリングを保持するための第２モジュール式ハウジングをさらに備える、請求項１乃至請求項８のいずれか一項に記載の可変容量ベーンポンプ。
【請求項１０】
前記第１制御スプリングの作用と前記第２制御スプリングの作用との間のギャップ（ｇ）を定義して前記第１及び第２制御スプリングを保持するための第２、モジュール式ハウジングをさらに備え、前記第１及び第２制御スプリングは平行するように整列する、請求項１乃至請求項９のいずれか一項に記載の可変容量ベーンポンプ。
【請求項１１】
前記第１制御スプリングの作用と前記第２制御スプリングの作用との間のギャップ（ｇ）を定義して前記第１及び第２制御スプリングを保持するための第２、モジュール式ハウジングをさらに備え、前記第１及び第２制御スプリングは直列に整列する、請求項１乃至請求項１０のいずれか一項に記載の可変容量ベーンポンプ。
【発明の詳細な説明】
【技術分野】
【０００１】
本出願は、マシューウィリアムソン（Ｍａｔｔｈｅｗ  Ｗｉｌｌｉａｍｓｏｎ）の名で２０１１年１０月７日に出願され、予備圧縮スプリングポンプ制御（ＰＲＥ−ＣＯＭＰＲＥＳＳＩＯＮ  ＤＵＡＬ  ＳＰＲＩＮＧ  ＰＵＭＰ  ＣＯＮＴＲＯＬ）と名称される米国仮特許出願第６１／５４４,８４１に対して優先権を主張し、その全体内容は、全ての目的のために本明細書に含まれる。
【０００２】
本発明は、一般的に改善されたポンプ装置に関する。より詳しくは、本発明は、車両に用いるエンジン内で使用されるオイルポンプなどの特別な用途を有する可変容量ポンプ出力のより優れた制御を提供するための制御デバイス及び改善されたポンプに関する。
【背景技術】
【０００３】
一般的に、オイルなどの非圧縮性流体のためにポンプを用いることが知られている。しばしば、このようなポンプは可変容量ベーン（ｖａｎｅ）式である。このようなポンプは、ポンプの容量を変化させるためのポンプロータの偏心（ｒｏｔｏｒ  ｅｃｃｅｎｔｒｉｃｉｔｙ）の変更を許容する移動可能なポンプリングを含む。
【０００４】
圧力を保持するためにポンプの容積を変更させる能力を有することは、自動車潤滑又はオイルポンプなどの環境において好ましく、ポンプは動作速度の範囲に亘って動作する。このような環境において、平衡圧を保持するために、ポンプの出力からポンプ制御リング又はスライドに隣接した制御チャンバへの動作流体（例えば、潤滑油）のフィードバック（ｆｅｅｄｂａｃｋ）供給を用いることが知られており、制御チャンバ内の圧力は、ポンプの容量を変更するために、リターンスプリングから制御リングに適用される偏心力に対抗して、制御リングを移動させるように作用する。
【０００５】
一般に、車両のエンジンによって動作するこのようなオイルポンプに対して、ポンプの出力における圧力はポンプの動作速度の増加に伴って増加し、増加した圧力はリターンスプリングの偏向力を克服するために、ポンプの容量が減少するように制御リングを移動するように制御リング（又はスライド）に作用し、それによって出力体積及びポンプ出力の圧力を低減する。
【０００６】
ポンプの動作速度が低下すると、ポンプの出力の圧力が低下するため、制御リング（又はスライド）に隣接した制御チャンバに適用された圧力は減少する。制御リングに隣接した制御チャンバに適用された圧力が減少すると、リターンスプリングの偏向力は、ポンプの容量を増加させるために制御リングを移動させ、出力体積及びポンプの圧力を増加させる。このようにして、平衡圧がポンプの出力によって取得及び／又は保持される。
【発明の概要】
【発明が解決しようとする課題】
【０００７】
従来は、平衡圧がエンジンの予想動作（例えば、速度）範囲における許容可能な圧力で選択された。必然的に、エンジンが一般的に非常に広い範囲の速度に亘って動作するために選択された平衡圧は、妥協的な案（ｃｏｍｐｒｏｍｉｓｅ）である。平衡圧は、オイルポンプが（エンジンにより多くの量のオイルを供給するために）さらに高いエンジン動作速度で要求されるよりも、さらに低い動作流体圧力におけるさらに低い動作速度で（エンジンに充分なオイルを供給するために）許容可能に動作するように選択される。エンジンに過度な摩耗又は他の損傷を制限するために、エンジンの設計者らは通常最も悪い場合（高い動作速度）の条件を満たすポンプに対する平衡圧を選択する。このようなケースでは一般的に低級の速度であり、ポンプはこのような速度のために必要以上に大きな容量で動作することになり、過剰かつ不要な動作流体のポンピングによってエネルギを浪費する。
【０００８】
従って、よりコンパクトなポンプを提供することで、より優れたパッケージの柔軟性を提供し、少なくとも２つの平衡圧を有する可変容量ベーンポンプの性能特性を改善する必要性が大きく存在している。
【課題を解決するための手段】
【０００９】
本発明に係る少なくとも１つの実施形態例において、従来技術の少なくとも１つの欠点を緩和及び除去する可変容量ポンプの容量を制御するシステム及び方法が開示される。本発明の少なくとも１つの実施形態例において、従来技術の少なくとも１つの欠点を緩和及び除去する可変容量ポンプが開示される。本発明に係る少なくとも１つの実施形態例において、よりコンパクトなポンプを提供しながらも、可変容量がより大きなパッケージの柔軟性を提供するポンプを提供する。
【００１０】
本発明に係る少なくとも１つの実施形態例において、可変容量ポンプ、特に移動可能なポンプ制御リング（又はスライド）を有する可変容量ベーン式ポンプが開示される。移動可能なポンプ制御リングは、ポンプの動作速度によってポンプの容量を変更させる。一実施形態例において、ポンプは２つの選択された平衡圧で動作可能である。ポンプは、その中にポンプチャンバを有するケーシングを備え、ベーンポンプロータは、ポンプチャンバ内に回転可能に装着される。制御リングは、ポンプチャンバ内にベーンポンプロータを囲んでポンプの容量を変更させるためにポンプチャンバ内で移動可能である。ベーンポンプロータを囲む制御リングは、ポンプケーシングに沿って制御チャンバを定義する。制御チャンバは加圧流体を受け入れ、その圧力はポンプの容積を減少させるために制御チャンバ内に制御リングを移動させるように制御リングに作用する。
【００１１】
本発明に係る少なくとも１つの実施形態例において、可変容量ポンプは、最小容積位置から離れて最大容積位置に向かって制御リングを移動させるために偏向力を作用させるようにケーシング（又は他のベース（ｂａｓｅ））及び制御リング（又はスライド）の間に作用する一次リターンスプリングを備える。一次リターンスプリングは、第１平衡圧を設定するためにネットアウト（ｎｅｔ  ｏｕｔ）する偏向スプリングに向かって制御リングを移動させるために制御リングに適用する制御チャンバの力に対して作用する。一実施形態例において、二次リターンスプリングが装着され、一実施形態でケーシング内に装着され、制御リングが所定量移動した後に制御リングに係合するように構成される。二次リターンスプリングはまた、最大容積位置に向かって制御リングを偏向させる。二次リターンスプリングの力は、第２平衡圧を設定するために、第１リターンスプリングの力と共に、制御チャンバの力に対して作用するように設計される。他の実施形態例において、二次スプリングは予備引張され、第２予備引張されたスプリングの偏向力の作用を遅延させるためのギャップを備える。
【図面の簡単な説明】
【００１２】
【図１】本発明に係る可変容量ポンプの部分的なグラフィック平面図（ｇｒａｐｈｉｃ  ｐｌａｎ  ｖｉｅｗ）を示す。
【図２】図１の可変容量ポンプで利用される制御リング又はスライドの部分的なグラフィック平面図を示す。
【図３】図１の可変容量ポンプの二次スプリングシステムの部分的で概略的な正面図を示す。
【図４】図１の可変容量ポンプの性能を示すグラフを示す。
【図５】本発明の他の実施形態例に係る可変容量ポンプの部分的なグラフィック平面図を示す。
【図６】可変容量ポンプに使用するための他の実施形態に係る二次二重スプリングシステムの部分的で概略的な正面図を示す。
【図７】可変容量ポンプで使用するための他の実施形態に係る二次スプリングシステムの部分的で概略的な正面図を示す。
【図８】可変容量ポンプで使用するための他の実施形態に係る結合二重スプリングシステムの部分的で概略的な正面図を示す。
【図９】可変容量ポンプで使用するためのさらなる他の実施形態に係るモジュール式、二次スプリングシステムの部分的で概略的な正面図を示す。
【図１０】可変容量ポンプで使用するためのさらなる他の実施形態に係る結合二重スプリングシステムの部分的で概略的な正面図を示す。
【図１１】可変容量ポンプで使用するためのさらなる他の実施形態に係る結合二重スプリングシステムの部分的で概略的な正面図を示す。
【発明を実施するための形態】
【００１３】
一般的に図１〜図１１、そして特に図１〜図３を参照すると、図１に最もよく示された本発明の実施形態に係る可変容量ベーンポンプ（ｖａｒｉａｂｌｅ  ｃａｐａｃｉｔｙ  ｖａｎｅ  ｐｕｍｐ）２０が開示されている。ポンプ２０は適合したガスケットシールなどの公知の又は適切な封止デバイスを用いるポンプカバー（図示せず）で封止される前面（ｆｒｏｎｔ  ｆａｃｅ）２４を備えるケーシング２２を含む。ポンプ２０は、オイルなどの加圧された動作流体を供給するために、エンジン（図示せず）などに結合して封止される。
【００１４】
ポンプ２０は、ポンプ２０を動作させるためにエンジン又は他のメカニズムから動力引出装置（ｐｏｗｅｒ  ｔａｋｅ  ｏｆｆ）などの適切な駆動デバイスによって駆動する駆動軸２８を備える。駆動軸２８が回転しながら、ポンプチャンバ３６内に配置されるポンプロータ３２が駆動軸２８によって駆動する。ロータ３２の回転に伴って一連の移動又はスライド可能なベーンポンプ（ｐｕｍｐ  ｖａｎｅｓ）４０が回転する。それぞれのベーン４０の外側端部は、ポンプチャンバ３６の外側壁を形成するポンプ制御リング４４の内周面と係合する。ベーンポンプ４０とポンプチャンバ３６の外側壁は、ポンプ制御リング４４の内側面とポンプロータ３２によって追加的に定義される一連の伸縮するポンピングチャンバ４８を分割する。
【００１５】
ポンプ制御リング４４は、ポンプ制御リング４４の中心がロータ３２の中心に対して移動するようにさせるピボットピン５２でケーシング２２内部に装着される。ポンプ制御リング４４の中心がポンプロータ３２の中心に対して偏心（ｅｃｃｅｎｔｒｉｃａｌｌｙ）して配置され、ポンプロータ３２とポンプ制御リング４４のそれぞれの内部が円形形状であるため、動作流体チャンバ４８の体積はチャンバ４８がポンプチャンバ３６の周囲を回転しながら変化し、それらの体積はポンプ２０の低圧側（図１のポンプチャンバ３６の左側）で大きくなり、ポンプ２０の高圧側（図１のポンプチャンバ３６の右側）で小さくなる。動作流体チャンバ４８の体積の変化は、ポンプ２０のポンピング作用を発生させ、入口ポート（ｉｎｌｅｔ  ｐｏｒｔ）５０から動作流体を引き込み、加圧して出口ポート（ｏｕｔｌｅｔ  ｐｏｒｔ）５４に伝達する。
【００１６】
ピボットピン５２に対してポンプ制御リング４４を移動させることにより、ポンプロータ３２に対する偏心量は動作流体チャンバ４８がポンプ２０の低圧側からポンプ２０の高圧側に変化し、ポンプ２０の容積の量を変えるために変更してもよい。さらに図１及び２を参照しすると、一次リターンスプリング（ｐｒｉｍａｒｙ  ｒｅｔｕｒｎ  ｓｐｒｉｎｇ）５６は、図１に示した位置でポンプ制御リング４４を偏向させるためにケーシング２２及び制御リング４４のタブ５５に係合し、ここで、ポンプ２０は最大の偏心を有する。
【００１７】
制御チャンバ６０は、ポンプケーシング２２、ポンプ制御リング４４、ピボットピン５２と、ケーシング２２にあわせてポンプ制御リング４４上に装着された弾性シール（ｒｅｓｉｌｉｅｎｔ  ｓｅａｌ）６８との間に形成される。図１に最もよく示した実施形態において、制御チャンバ６０は、ポンプ出口５４と直接的に流体疎通し、ポンプ出口５４に供給されるポンプ２０からの加圧された動作流体が制御チャンバ６０をまた満たすようになっている。しかし、制御チャンバ６０は、ポンプ出口５４と直接的に流体疎通する必要がなく、代りに自動車エンジン内のオイルギャラリ（ｏｉｌ  ｇａｌｌｅｒｙ）からポンプ２０によって供給されるように、動作流体の適切な供給源から供給されてもよい。
【００１８】
図２を特に参照し、ポンプ２０の二次制御は、第１又は一次タブ５５から円周方向に離隔された二次タブ５８を有する制御リング４４によって提供される。ケーシング２２は、予圧された（ｐｒｅｌｏａｄｅｄ）状態で二次スプリング（ｓｅｃｏｎｄａｒｙ  ｓｐｒｉｎｇ）６２を受け入れるように構成される。二次スプリング６２は、好ましくは低比率スプリングであるスプリング５６に比べて高比率スプリングである。図１及び図３を特に参照し、ケーシング２２は、予圧（ｐｒｅ−ｌｏａｄｅｄ）若しくは予備圧縮された（ｐｒｅ−ｃｏｍｐｒｅｓｓｅｄ）状態又は位置でスプリング６２を受け入れるように構成される。制御リング４４が最大流量状態にあるときに、制御リング４４の二次タブ５８は、ギャップ６４によってスプリング６２から所定距離だけ離隔する。
【００１９】
動作時に、制御チャンバ６０内で加圧された動作流体は、ポンプ制御リング４４に対して作用する。ポンプ上で加圧された動作流体の圧力から算出される力がリターンスプリング５６の偏向力（ｂｉａｓｉｎｇ  ｆｏｒｃｅ）を克服するのに充分である場合、ポンプ制御リング４４は、ポンプ２０の偏心を減少させるために、図１及び図２に示したように反時計回りの方向にピボットピン５２を中心に回動する。制御リング４４上に作用する加圧された動作圧がリターンスプリング５６の偏向力を克服するのに充分でない場合、ポンプ制御リング４４はポンプ２０の偏心を増加させるために、リターンスプリング５６の力によってピボットピン５２を中心に時計回りの方向に回動したままになる。ポンプ２０の出力における流体の特性（圧力及び流量）は、ポンプの動作速度の関数としてグラフ化してもよい。図４を参照すると、グラフの「ａ」の区域は、ポンプ２０の偏心が最大のとき、制御リング４４が制御リング４４に対するリターンスプリング５６の力によって最も大きい時計回りの位置にあるときのポンプ２０の性能を示す。ポンプ２０による流体出力の流量は、一定または最大容量線と流体圧力に従って、この一定容量に関する負荷抵抗曲線（ｌｏａｄ  ｒｅｓｉｓｔａｎｃｅ  ｃｕｒｖｅ）に従う。
【００２０】
グラフ上の「ｂ」区域は、低比率リターンスプリング５６の予圧（ｐｒｅ−ｌｏａｄ）が制御リング４４に対して作用する圧力によって克服されて制御リング４４が回動する地点を示す。出力における流体の圧力及び流量は、一次リターンスプリング（ｐｒｉｍａｒｙ  ｒｅｔｕｒｎ  ｓｐｒｉｎｇ）５６のスプリング力と圧力との間の平衡によって実質的に一定に保持される。この地点で、二次タブ５８は高比率スプリング６２と接触しない。
【００２１】
グラフの「ｃ」区域は、図３に最もよく示すように、ギャップ６４がゼロに近接し、二次タブ５８が高比率又は二次スプリング６２に接触するが、チャンバ６０内の圧力が二次スプリング６２の予圧を克服するのに充分に高くないときを示す。従って、ポンプ２０の偏心は中間値で一定に保持され、出力流量が異なる（さらに小さい）一定の容量線に従う。流れの圧力は、ポンプ変位量（ｄｉｓｐｌａｃｅｍｅｎｔ）のこのようにさらに低い値に関する新しい負荷抵抗曲線に従う。
【００２２】
図４のグラフの「ｄ」区域は、制御リング４４に対してチャンバ６０内で作用する流体圧力が高比率スプリング６２の予圧を克服して制御リング４４がピボット５２に対して反時計回りの方向に再び移動することを示す。ポンプ出口圧力及び流量は、チャンバ６０内の圧力とスプリング（５６及び６２）の合成力との間の平衡によって実質的に一定に保持される。チャンバ６０内の加圧された動作流体の圧力がリターンスプリング（５６及び６２）の合成偏向力を克服するのに充分でない場合、ポンプ制御リング４４はポンプ２０の偏心を増加させるために時計回りの方向にピボットピン５２を中心に回動させる。
【００２３】
第１及び第２スプリング（５６及び６２）の配置は、各々、ケーシング２２の内部に別個のハウジングがあるように図１〜図３に示される。本発明の範囲から逸脱することなく、２つのスプリング（５６及び６２）を同一のハウジングの内部に同心のスプリングを備える他の構成によって配置できることは通常の技術者には明白であり、明らかでなかった特別なパッケージ及び性能改善を提供できる他の配置が分かってきた。図５に特定の一実施形態例が開示され、図１〜図３と比較して第２スプリング６２の他の配置を示す。図５の他の実施形態例において、他の実施形態の可変容量ポンプ２０は、図１の実施形態と類似の制御リング４４の第１タブ又は延長部材５５と関連する第１制御スプリング６２を備える。図５のポンプ２０は、制御リング４４のタブ又は第２延長部材５８に対して作用する第２スプリング６２をさらに備える。図５のポンプ２０は、タブ５８内の孔又は通路を通過する第１端部を有する軸をさらに備え、軸はそこから遠位のハウジング２２と共にギャップ（ｇ）を定義する第２端部に延びる。軸の第１端部は、制御リング４４に軸を固定するために一対のナットを用いて制御リング４４のタブ５０に結合されるが、公知又は適切なファスナ（ｆａｓｔｅｎｅｒ）又は類似のデバイスを用いて結合されてもよい。軸の第２端部は、軸の第２端部の予備引張要素（ｐｒｅｔｅｎｓｉｏｎ  ｅｌｅｍｅｎｔ）とタブ５８との間にスプリング６２をトラップ（ｔｒａｐｐｉｎｇ）するための肩部（ｓｈｏｕｌｄｅｒ）を定義するために、第２端部に形成又は結合された予備引張要素を備える。図５のポンプ２０の動作は、図１〜図４の実施形態に類似し得る。
【００２４】
図６に示すポンプ２０の他の実施形態を参照すると、ポンプ２０は、一般的に図６で軸が圧入カラー（ｐｒｅｓｓ−ｆｉｔｔｅｄ  ｃｏｌｌａｒ）を用いて制御リング４４のタブ５８内の通路に結合又は固定されることを除いて図５の他の実施形態例のポンプ２０と非常に類似している。圧入カラーは、制御リングのタブ５８と軸の第２端部の予備引張要素の肩部との間にトラップされた第２スプリングを予備引張するために軸の第１端部に固定され、また図４に示した望ましい動作曲線に従って動作するように、図６に準ずる可変容量ベーンポンプ２０を有するために要求されるギャップ（ｇ）を定義するように設計される。
【００２５】
図７及び図９に示すポンプ２０の他の実施形態を参照すると、一般的にポンプ２０は、ポンプ２０がギャップ（ｇ）を定義して第２制御スプリング６２を動作させたり保持するためにモジュラ（ｍｏｄｕｌａｒ）又は第２ハウジング８０を含むことを除いて、図１又は図５のポンプ２０と非常に類似している。第２ハウジング８０は、一般的に代理人整理番号第１５９６．０２８Ｐ１  ＭＰＴ＃  ７０９３０１号で制御リング４４のタブ５８と整列した第１端部及び第１端部から遠位の第２端部を有する矩形（断面で図示）部材である。図７において、第２端部は、第２ハウジング８０の内部に第２制御スプリング６２を保持し、スライド（ｓｌｉｄｅ）又は制御リング４４に第２スプリング６２の力を伝達するために圧入プラグ（ｐｌｕｇ）を用いて有利に閉鎖される。図７及び図９の他の実施形態例において、制御リング４４のタブ又は延長部材５８は、第１部分及び第１部分からある角度で整列した第２部分を含む。好ましくは、第２部分は制御リング４４と第２スプリング６２との間に力を伝達するために第１部材に接触してハウジング８０の第１端部内に通路を通過するようにハウジング８０の第１端部に向かって整列する。ハウジング８０の第１端部内の開口は、ハウジング８０の第１端部の長さを用いるギャップ（ｇ）を定義するように設計される。図７及び図９のポンプ２０内の圧力がポンプ２０の速度と共に増加するに従い、タブ５８の第２部分は、第１部材が第２端部に向かってハウジング８０内で移動し、第２スプリング６２に力を伝達する第１部材に接触するまでギャップ（ｇ）の距離を通過して移動する。タブ５８の第２部分に対してある角度で延長するタブ５８の第２部分は、有利にはタブ５８及び制御リング４４のための移動（ｔｒａｖｅｌ）の限界を定義するために用いることができる。
【００２６】
図８に示すように、各々のスプリングハウジング８０及び第１及び第２スプリング（５６及び６２）を備えるポンプ２０の他の実施形態例を参照すると、ハウジング８０は、各々第１及び第２制御スプリング（５６及び６２）を保持するように示される。図８のハウジング８０は、第１及び第２制御スプリング（５６及び６２）が各々より近接するように同じ場所に配置（ｃｏ−ｌｏｃａｔｅｄ）されてもよく、ポンプ２０内に有意に改善されたパッケージの柔軟性を提供する。特に、第１及び第２制御スプリング（５６及び６２）は、各々ハウジング８０内に平行するように又は並んで整列し、それぞれの第１及び第２制御スプリング（５６及び６２）の第１端部は、各々ハウジング８０の内部に延びる共通の第１部分又は壁８２に対して作用する。図７及び図９の他の実施形態例と同様に、スプリングハウジング８０は、さらにモジュール式で設けることができ、ポンプ２０のハウジング２２と一体又は分離して製作することもでき、ハウジング２２又はポンプ２０の他の部分と一体に製作することもできる。ハウジング８０のこのような設計は、ポンプ２０の著しく高い設計の柔軟性及び利用性を提供する。ハウジング８０は、一般に矩形の断面を有するように示されているが、他の形状も可能であることは理解すべきである。
【００２７】
図１０及び図１１に示した他の実施形態例を参照すると、ポンプ２０は、各々ハウジング８０及び第１及び第２スプリング（５６及び６２）の配置を含む。共通のハウジング８０は、図８に示すような横並び又は並列の配置と比較して一列（ｉｎ−ｌｉｎｅ）又は直列（ｓｅｒｉｅｓ）の配置で、各々第１及び第２制御スプリング（５６及び６２）を保持するように図示される。図１０及び図１１のハウジング８０は、第１及び第２制御スプリング（５６及び６２）が各々より近接するように整列して同じ場所に配置されてもよく、またポンプ２０内に有意に改善されたパッケージの柔軟性を提供する。特に、第１及び第２制御スプリング（５６及び６２）は、各々ハウジング８０の内部に一列に整列する。図１０を特に参照し、第１スプリング５６は、制御リング又はスライド４４のタブ５８に最も近接するように配置され、第２制御スプリング６２は遠位に配置される。実質的にｔ−形状を有するピンは、第１及び第２スプリング（５６及び６２）の間に各々配置される。タブ５８は、まずタブ５８がピンと接触して第２スプリング６２（スプリング２）を圧縮し始めるまで所定の距離に亘ってスプリング５６（スプリング１）に作用する。図１１に示した他の実施形態は、ｔ−形状のピンが第１制御スプリング５６及び制御リング又はスライド４４のタブ５８の間に配置され、リテーナ（ｒｅｔａｉｎｅｒ）が第２制御スプリング６２とピンの第２端部との間に提供され、一旦第１制御スプリング５６（スプリング１）が所定の距離を圧縮されると、タブ５８からの力が第２制御スプリング６２（スプリング２）の力に対して作用始めるという点を除いて、図１０と類似する。
【００２８】
任意の低位値と任意の高位値との間に少なくとも２単位（ｕｎｉｔｓ）の分離がある場合、本明細書又は図面に記載の任意の数値は、１単位の増加量（ｉｎｃｒｅｍｅｎｔｓ）内に低位値から高位値までの全ての値を含むことを意図している。一例として、もし温度、圧力、時間などの変化可能なプロセスの値又は構成要素の量が、例えば１から９０まで、好ましくは２０から８０まで、より好ましくは３０から７０までと記載されている場合、それらを意図するように、１５から８５、２２から６８、４３から５１、３０から３２などの値はこの明細書内に明白に列挙されている。１より小さい値においては、１単位は０．０００１、０．００１、０．０１、又は０．１が適切であると考えられる。これらは、単に具体的に意図する例示によって列挙した最低値と最高値との間の数値の全ての可能な組合せは、類似の方式によって本明細書内に明白に記載されるように考慮される。図から分かるように、本明細書で「重量部（ｐａｒｔｓ  ｂｙ  ｗｅｉｇｈｔ）」と表現される量の意味は、重量パーセント（ｐｅｒｃｅｎｔ  ｂｙ  ｗｅｉｇｈｔ）の観点で表現された同一の範囲を意図する。従って、「結果として得られるポリマーブレンド組成物のＶ重量部（Ｖ  ｐａｒｔｓ  ｂｙ  ｗｅｉｇｈｔ）」に関する範囲の本発明の詳細な説明における表現はまた、最終的なポリマーブレンド組成物の重量パーセントで「ｘ」の同一記載量の範囲を意図する。
【００２９】
特に明記しない限り、全ての範囲は、両側の終点（ｅｎｄｐｏｉｎｔｓ）と終点との間の全ての数を含む。範囲と関連し、「約（ａｂｏｕｔ）」又は「およそ（ａｐｐｒｏｘｉｍａｔｅｌｙ）」の使用は範囲の両端に適用される。従って、「約２０から３０（ａｂｏｕｔ  ２０  ｔｏ  ３０）」は、少なくとも具体的な終点を含み、「約２０から約３０（ａｂｏｕｔ  ２０  ｔｏ  ａｂｏｕｔ  ３０）」を含むことを意図する。
【００３０】
特許出願及び刊行物を含むすべての論文及び参考文献の開示は、全ての目的のために参照として含まれる。「基本的に〜から成る（ｃｏｎｓｉｓｔｉｎｇ  ｅｓｓｅｎｔｉａｌｌｙ  ｏｆ）」という用語の組合せを記述するために、確認された要素、成分、構成要素又はステップ、及び組合せの基本的かつ新規の特徴に実質的に影響を及ぼさない異なる要素、成分、構成要素又はステップを含んでもよい。本明細書において、要素、成分、構成要素又はステップの組合を説明するために、「含む（ｃｏｍｐｒｉｓｉｎｇ）」又は「含む（ｉｎｃｌｕｄｉｎｇ）」という用語の使用もまた、要素、成分、構成要素又はステップを含む実施形態を意図する。本明細書において、「してもよい（ｍａｙ）」という用語の使用は、含んでもよいと説明した特徴（ａｔｔｒｉｂｕｔｅｓ）が任意的であることを意図する。
【００３１】
複数の要素、成分、構成要素又はステップは、単一の統合された要素、成分、構成要素又はステップによって提供することができる。あるいは、単一の統合された要素、成分、構成要素又はステップは、別の複数の要素、成分、構成要素又はステップに分割されてもよい。要素、成分、構成要素又はステップを説明するためにの「１つの（ａ）」又は「一（ｏｎｅ）」の開示は追加的な要素、成分、構成要素又はステップを排除することを意図するものではない。
【００３２】
上記の詳細な説明は、例示であって、限定的でないことを意図するものであることが理解される。提供された多くの実施形態例がそれ以外の適用においても同様であることは、上記の詳細な説明を読めば通常の技術者には明白である。従って、本発明の範囲は、上記の詳細な説明を参照せずに決定されるべきであるが、代りに添付する請求項を参照しながら、このような請求項が付けられる均等物の全ての範囲を共に参照しながら決定されるべきである。特許出願及び刊行物を含む全ての論文及び参考文献の開示は、全ての目的のために参照として含まれる。本明細書に開示された主題（ｓｕｂｊｅｃｔ  ｍａｔｔｅｒ）のある態様の請求項における省略は、その発明主題の権利の放棄（ｄｉｓｃｌａｉｍｅｒ）ではなく、そのような主題は開示された発明主題の一部であって、発明者が考慮していなかったと見るべきではない。
【図１】
2014528539.tif 000003
【図２】
2014528539.tif 000004
【図３】
2014528539.tif 000005
【図４】
2014528539.tif 000006
【図５】
2014528539.tif 000007
【図６】
2014528539.tif 000008
【図７】
2014528539.tif 000009
【図８】
2014528539.tif 000010
【図９】
2014528539.tif 000011
【図１０】
2014528539.tif 000012
【図１１】
2014528539.tif 000013
【国際調査報告】
2014528539.tif 000014
2014528539.tif 000015